(57)【要約】【課題】各種電子機器の入力操作部に用いられ、配線基板に平行な方向に押圧操作されるプッシュオンスイッチに関し、静電気対策が施され、低背状態に実装できる構成のプッシュオンスイッチを提供する。【解決手段】ケース１の凹部１Ａ内に、可動接点６および中央固定接点２、外側固定接点３からなるスイッチ接点部が構成され、ケース１に対して前後方向に移動可能に組み込まれた操作体８への操作で上記スイッチ接点部が作動されるプッシュオンスイッチであって、中央固定接点２、外側固定接点３からの端子２Ａ，３Ａを上記ケース１の左右側面の中間高さ位置から各々導出させると共に、ケース１に固定された金属カバー２９から上面視で端子３Ａの導出方向と同じ方向に延出され下方に折り曲げられた脚部２９Ｃの先端が、配線基板３１のアースに接続される端子３Ａ上面と所定間隔で近接した構成のものとした。【選択図】図１
2013186993.tif 000002
【特許請求の範囲】
【請求項１】
配線基板の切り欠き部内にケースの下方部を位置させて実装され、上記配線基板の上面と平行な方向で押圧操作してスイッチ接点部が作動されるプッシュオンスイッチであって、上記切り欠き部の両側方向の少なくともどちらかの側方に向けて導出して形成された端子に対して、当該プッシュオンスイッチに設けた静電気誘導部が所定の間隔で近接している構成としたことを特徴とするプッシュオンスイッチ。
【請求項２】
ケースを上方より覆う金属カバーをさらに有し、静電気誘導部は、その金属カバーから延設形成されていることを特徴とする請求項１記載のプッシュオンスイッチ。
【発明の詳細な説明】
【技術分野】
【０００１】
本発明は、各種電子機器の入力操作部に用いられるプッシュオンスイッチに関するものである。
【背景技術】
【０００２】
近年、各種電子機器は、電子機器の小型軽量化並びに薄型化とあわせて、多機能化が留まることなく進んでおり、その入力操作部には、装着された電子機器の配線基板に平行な方向から操作される小型薄型のプッシュオンスイッチが用いられることも増えている。
【０００３】
このような従来のプッシュオンスイッチについて、図１２〜図１６を用いて説明する。
【０００４】
図１２は従来のプッシュオンスイッチの外観斜視図、図１３は同断面図、図１４は同分解斜視図、図１５は同実装する形態を説明する外観斜視図、図１６は同実装状態を示す外観斜視図である。
【０００５】
同図において、１は上方開口の凹部１Ａを有した絶縁樹脂製のケースであり、凹部１Ａ底面の中央には中央固定接点２が配され、また凹部１Ａ底面の外周側の位置には上面視略矩形で僅かに上方に突出形成された一対の外側固定接点３が配されている。中央固定接点２に接続されている端子２Ａおよび、外側固定接点３に接続されている端子３Ａは、ケース１の左右の側面の中間高さ位置よりそれぞれ外方に導出されている。つまり、それらの導出位置は、ケース１の底面位置よりも高い位置に設定されている。
【０００６】
ケース１の端子２Ａ，３Ａが導出されている左右の側部においては、端子２Ａ，３Ａの下面位置よりも上方に位置するケース１側面が、下方に位置する側面よりも外方に突出した形状になっている。つまり、ケース１の左右の側部は、下方を各々内側に切り欠いた水平な段差形状に形成されており、その段差部の下面と端子２Ａ，３Ａの下面は同一高さ位置になっている。そして、上記段差部の下面と端子２Ａ，３Ａの下面によって、受け部１Ｂが形成されている。
【０００７】
ケース１上面の四方の角部には、上面視Ｌ字形状のコーナー突部１Ｃが上方に向けて突出形成されている。
【０００８】
６は上方凸形の円形ドーム状をした弾性金属薄板製の可動接点で、その外周下端が外側固定接点３上に載置されて、ケース１の凹部１Ａ内に収容されている。可動接点６の中央部下面は中央固定接点２の上面と間隔を有して対向している。
【０００９】
上述した可動接点６を収容した状態で、ケース１の凹部１Ａを覆うように、絶縁性フィルムからなる保護シート７が下面に設けられた図示しない粘着剤でケース１の上面に貼着されている。
【００１０】
８は、ケース１に対して前後方向に移動可能に組み込まれている樹脂製の操作体で、前方に突出形成された操作部８Ａと、操作部８Ａの中央後部から後方に突出形成された円柱状の駆動部８Ｂと、駆動部８Ｂをコの字状に囲む枠部８Ｄとを有している。駆動部８Ｂの先端は略球形状に形成された押圧部８Ｃとなっている。
【００１１】
操作体８は、ケース１のコーナー突部１Ｃで囲まれた領域内に枠部８Ｄが位置するようにしてケース１上に配され、コーナー突部１Ｃの内壁で、上記枠部８Ｄの左右方向の側面がガイドされつつ、前後方向に移動可能になっている。その配置状態で、操作部８Ａはケース１の外周位置より前方に突出している。
【００１２】
そして、操作体８を上方より覆うように、金属板製の金属カバー９がケース１に固定されている。金属カバー９は、ケース１の上方に位置する平板状の平板部９Ａの中央位置に、後方にかけて先端側が斜め下方に下がっていくように曲げ形成された傾斜部９Ｂを備えている。その傾斜部９Ｂの下面は、上記操作体８の駆動部８Ｂ先端の押圧部８Ｃと当接状態になっている。
【００１３】
以上のように従来のプッシュオンスイッチは構成されており、次にその動作について説明する。
【００１４】
操作部８Ａを前方より後方に向かって押し込むと、押圧部８Ｃが金属カバー９の傾斜部９Ｂ下面に沿って移動する。つまり、駆動部８Ｂを斜め下方に撓めながら押圧部８Ｃが斜め下方に移動していき、保護シート７を介して押圧部８Ｃで可動接点６の中央部を押圧していく。この押圧力が一定の値を超えると、可動接点６の中央部はクリック感触を伴って弾性反転して、可動接点６の中央部下面と中央固定接点２が接触する。これにより、対応する端子２Ａと端子３Ａとの間が導通してスイッチオン状態となる。
【００１５】
操作体８を押し込んでいた力を解除すると、可動接点６が元の形状に弾性的に復元して押圧部８Ｃを上方に押し上げ、押圧部８Ｃが傾斜部９Ｂ下面で案内されつつ駆動部８Ｂも元の形状に戻って、操作体８が元の前方位置に押し戻されたスイッチオフ状態に戻るものであった。
【００１６】
上述したプッシュオンスイッチは、携帯端末を代表とする電子機器の配線基板に実装されて使用される。次に、その実装状態などについて図１５、図１６を用いて説明する。
【００１７】
同図に示すように、配線基板１１の端部位置には、上面視で内側にコの字状に窪んだ形状の切り欠き部１１Ａが設けられている。そして、切り欠き部１１Ａの左右両側の側方位置には、当該プッシュオンスイッチの端子２Ａ，３Ａに対応する端子用ランド１２，１３がそれぞれ配設されている。なお、ランド１２，１３は配線基板１１の図示しない電子回路に繋がっている。
【００１８】
当該プッシュオンスイッチは、切り欠き部１１Ａの開口側となる前方方向に操作部８Ａが位置する向きで、後部を、切り欠き部１１Ａの奥行き側の端面に当接させるようにして、ケース１の受け部１Ｂが切り欠き部１１Ａ近傍の配線基板１１上面位置に載せられ、端子２Ａ，３Ａが対応するランド１２，１３にそれぞれ半田付け固定されて実装される。
【００１９】
このように、当該プッシュオンスイッチは、受け部１Ｂよりも下方となるケース１の下方部を切り欠き部１１Ａ内に位置させて実装され、配線基板１１への実装状態で高さ方向の低背化が図れるものであった。また、当該プッシュオンスイッチの後部を、切り欠き部１１Ａの奥行き側の端面に当接させた実装状態とするもののため、当該プッシュオンスイッチに予期しない後方側などへの過度の力が加わっても、配線基板１１からの剥がれ防止も図られる実装状態にできるものであった。
【００２０】
なお、この出願の発明に関連する先行技術文献情報としては、例えば、特許文献１が知られている。
【先行技術文献】
【特許文献】
【００２１】
【特許文献１】特開２０１０−１１８３３６号公報
【発明の概要】
【発明が解決しようとする課題】
【００２２】
近年の電子機器においては、静電気放電、所謂ＥＳＤによる電子機器の誤動作や故障などを防止するために、静電気対策が講じられた電子部品を求められることも多く、従来のプッシュオンスイッチにおいてもその要望が高まっていた。
【００２３】
しかしながら、電子機器の小型化などが進展する中で、機器メーカからは各種電子部品として搭載面積の小さいものが好まれ、特に従来のプッシュオンスイッチのような配線基板１１の端部位置に実装されるものにおいては、他の電子部品の実装面積を確保するために、その端部位置で奥行き寸法を大きくすることなく静電気対策が講じられた構成のものを要望されることが多くなってきた。
【００２４】
本発明は、このような従来の課題を解決するものであり、プッシュオンスイッチの前後方向、つまり奥行き方向の寸法を大きくすることなく、静電気対策を施した低背状態で実装できる構成のプッシュオンスイッチを提供することを目的とする。
【課題を解決するための手段】
【００２５】
上記目的を達成するために本発明は、配線基板の切り欠き部内にケースの下方部を位置させて実装され、上記配線基板の上面と平行な方向で押圧操作してスイッチ接点部が作動されるプッシュオンスイッチであって、上記切り欠き部の両側方向の少なくともどちらかの側方に向けて導出して形成された端子に対して、当該プッシュオンスイッチに設けた静電気誘導部が所定の間隔で近接している構成としたことを特徴とするプッシュオンスイッチとしたものである。
【００２６】
これであれば、その静電気誘導部に近接する端子を配線基板のアース（ＧＮＤ）に接続させる実装状態とすることによって、奥行き方向の寸法を大きくすることなく、プッシュオンスイッチに流入した静電気を静電気誘導部を通じて電子機器のアース（ＧＮＤ）におとすことができる、低背状態で実装可能な小型構成のプッシュオンスイッチに実現できるという作用を有する。
【発明の効果】
【００２７】
本発明によれば、奥行き方向への寸法を大きくすることなく、低背状態に実装できるＥＳＤ対策を施した小型構成のプッシュオンスイッチを提供できるという有利な効果が得られる。
【図面の簡単な説明】
【００２８】
【図１】本発明の一実施の形態によるプッシュオンスイッチの外観斜視図
【図２】同断面図
【図３】同正面図
【図４】同下面図
【図５】同分解斜視図
【図６】同実装する形態を説明する外観斜視図
【図７】同実装状態を示す外観斜視図
【図８】本発明の他の実施の形態によるプッシュオンスイッチの外観斜視図
【図９】同正面図
【図１０】同分解斜視図
【図１１】同回路図
【図１２】従来のプッシュオンスイッチの外観斜視図
【図１３】同断面図
【図１４】同分解斜視図
【図１５】同実装する形態を説明する外観斜視図
【図１６】同実装状態を示す外観斜視図
【発明を実施するための形態】
【００２９】
以下、本発明の実施の形態について、図１〜図１１を用いて説明する。なお、従来の技術の項で説明した構成と同一構成の部分には同一符号を付して、詳細な説明を簡略化する。
【００３０】
（実施の形態）
図１は本発明の一実施の形態によるプッシュオンスイッチの外観斜視図、図２は同断面図、図３は同正面図、図４は同下面図、図５は同分解斜視図、図６は同実装する形態を説明する外観斜視図、図７は同実装状態を示す外観斜視図である。
【００３１】
同図に示すように、本発明によるプッシュオンスイッチは、従来のものと同様に絶縁樹脂製のケース１を有している。ケース１は、上面視略矩形状に形成されていると共に、上方開口の凹部１Ａ（図５参照）を備えている。そして、凹部１Ａ底面の中央には中央固定接点２が配されると共に、その中央固定接点２を中心として凹部１Ａ底面の外周側の位置には、上面視略矩形で僅かに上方に突出形成された一対の外側固定接点３が配されている。ケース１の左右の側面から、中央固定接点２に接続されている端子２Ａと、外側固定接点３に接続されている端子３Ａとがそれぞれ導出されている。
【００３２】
なお、端子２Ａ，３Ａのケース１からの導出高さ位置は同一で、ケース１の底面位置よりも高い中間高さの側面位置から水平に導出されていて、端子２Ａ，３Ａの下面位置よりも上方に位置するケース１側面は、下方に位置する側面よりも外方に突出した水平な段差形状になっており、その段差部の下面と端子２Ａ，３Ａの下面とで受け部１Ｂが形成されていることは従来のものと同様である。
【００３３】
そして、ケース１の凹部１Ａ内には、円形ドーム状の弾性金属薄板からなる可動接点６が従来同様に収容されている。また、凹部１Ａの上方は、ケース１上面に貼り合わされた保護シート７で覆われていることも従来同様である。ここに、当該構成では、可動接点６と中央固定接点２、外側固定接点３とによってスイッチ接点部が構成されたものとなっている。
【００３４】
操作体８は、操作部８Ａがケース１の前方に突出し、上記ケース１のコーナー突部１Ｃで囲まれた領域内に枠部８Ｄが位置するようにして配されている。この操作体８も、従来と同じもので、操作部８Ａの後方に延設された駆動部８Ｂが枠部８Ｄ内に設けられ、その駆動部８Ｂの先端が略球形状の押圧部８Ｃに形成されており、上記枠部８Ｄの左右方向の側面がコーナー突部１Ｃの内壁でガイドされつつ、ケース１に対して前後方向に移動可能に組み込まれている。
【００３５】
さらに、操作体８を上方より覆うように、金属板製の金属カバー２９がケース１に固定されている。金属カバー２９は、ケース１の上方に位置する平板状の平板部２９Ａと、平板部２９Ａの中央位置に、後方にかけて先端側が斜め下方に下がっていくように曲げ形成された傾斜部２９Ｂを備えており、傾斜部２９Ｂの下面が上記操作体８の駆動部８Ｂ先端の押圧部８Ｃと当接状態になっている。
【００３６】
ここで、当該実施の形態によるものは、端子２Ａ，３Ａのうち、外側固定接点３に接続されている端子３Ａの二つを機器のアース側に接続させて使用するものとなっており、金属カバー２９においては、平板部２９Ａから、上面視で、ケース１の前方側面から導出されている端子３Ａの導出位置と略同一の側方位置から所定幅の一つの脚部２９Ｃが側方に向けて延設されたものを用いている。そして、脚部２９Ｃは、ケース１の側面に沿って下方に曲げ下ろされていて、その先端は、二つの端子３Ａのうち、対応する一方の端子３Ａの根元部上面と所定の間隔をあけて近接した対向状態になっている。
【００３７】
ここに、この脚部２９Ｃが請求項１の静電気誘導部に相当するものであり、脚部２９Ｃ先端と一方の端子３Ａ上面との近接状態は、その距離が０．１ｍｍ以下に設定されている。なお、脚部２９Ｃ先端の上記端子３Ａ上面に対向する範囲も大きいことが望ましい。さらに、金属カバー２９の他の外縁箇所は、端子２Ａと最も近接する位置が０．１５ｍｍよりも大きい距離程度で離されていることが望ましい。つまり、両者の差として０．０５ｍｍよりも大きく確保された構成であると好ましい。このように、当該構成品では、金属カバー２９は、脚部２９Ｃのみが一方の端子３Ａに近接し、金属カバー２９の他の外縁箇所は端子２Ａとは離されている構成となっている。
【００３８】
以上のように、本実施の形態によるプッシュオンスイッチは構成されている。
【００３９】
なお、その動作は、従来同様であるため、以下に簡単に説明する。操作体８の操作部８Ａを後方に押し込むと、操作体８が後方に移動していくと共に、金属カバー２９の傾斜部２９Ｂで斜め下方に案内されていく押圧部８Ｃで可動接点６の中央部が押圧される。この押圧力が一定の値を超えると、可動接点６がクリック感触を伴って弾性反転し、可動接点６の中央部下面と中央固定接点２が接触して端子２Ａ、３Ａ間が導通したスイッチオン状態となる。そして、操作体８を後方に向かって押し込んでいた力を解除すると、可動接点６が元の上方凸形に弾性的に復元して押圧部８Ｃを上方に押し上げ、押圧部８Ｃが金属カバー２９の傾斜部２９Ｂ下面に沿って斜め上方に移動しつつ駆動部８Ｂが元の形状に戻りながら、操作体８が元の位置に押し戻されて図１や図２に示すスイッチオフ状態に戻る。
【００４０】
次に、上述したプッシュオンスイッチの実装状態について図６と図７を用いて説明する。
【００４１】
同図において、３１は端部位置に上面視で内側にコの字状に窪んだ形状の切り欠き部３１Ａが設けられている配線基板である。切り欠き部３１Ａの両側左右の側方位置には、当該プッシュオンスイッチの端子２Ａ，３Ａに対応する端子用ランド３２，３３がそれぞれ配設されている。なお、端子用ランド３２は配線基板３１の図示しない電子回路に繋がっていて、端子用ランド３３は配線基板３１のアースまたはＧＮＤに繋がっている。
【００４２】
ここに、端子用ランド３３に繋がっているアースは、上記電子回路のＧＮＤ、所謂シグナルＧＮＤと共通しており、上記電子回路は、端子用ランド３２，３３間が導通状態になるとスイッチオンとして検出するものとなっている。
【００４３】
当該プッシュオンスイッチは、従来同様に、ケース１の下方部を切り欠き部３１Ａ内に収容するようにして、ケース１の受け部１Ｂが切り欠き部３１Ａ近傍の配線基板３１上面位置に載せられて、端子２Ａが対応する端子用ランド３２に、端子３Ａが対応する端子用ランド３３にそれぞれ半田付け固定されて実装されている。したがって、端子用ランド３３に半田付け固定されている端子３Ａは配線基板３１のアースと同電位となり、当該プッシュオンスイッチの脚部２９Ｃは、一方の端子３Ａを介して配線基板３１のアースと０．１ｍｍ以下での近接状態となっている。なお、配線基板３１への実装状態で、金属カバー２９の脚部２９Ｃが配線基板３１のアースに最も近接状態になり、金属カバー２９のその他の外縁箇所は、配線基板３１のアースに近接しないものになっているとよい。
【００４４】
このように、当該実施の形態によるプッシュオンスイッチは、脚部２９Ｃを、配線基板３１のアースと近接した状態に実装できる。このために、電子機器の使用時などにおいて、使用者の指先などから、電子機器の操作ボタンなどを介して当該プッシュオンスイッチに静電気が流入した場合でも、その静電気は金属カバー２９に設けた脚部２９Ｃから、脚部２９Ｃに対向する側の一方の端子３Ａとの隙間を放電し上記静電気を配線基板３１のアースへおとすことができる。つまり、静電気の電位は配線基板３１のアースの電位に対して著しく高く、プッシュオンスイッチに流入した静電気は、絶縁距離が最も小さく設定されている静電気誘導部としてなる脚部２９Ｃとそれに対向する一方の端子３Ａとの間（０．１ｍｍ以下）の空気層を絶縁破壊して、配線基板３１のアースにおとされる。なお、上述したように金属カバー２９と端子２Ａとの間は０．１５ｍｍよりも大きい距離程度で離されていて、当該絶縁破壊は起こりにくいため、流入した静電気を安定して配線基板３１のアースにおとすことができる。
【００４５】
これにより、流入した静電気による電子回路の誤動作や破損などの発生を防ぐことができる。
【００４６】
そして、脚部２９Ｃとしては、上面視で切り欠き部３１Ａの左右の両側方向となる側方側に延設させたものとし、しかもその脚部２９Ｃは、上面視での延設長さは僅かで、一方の端子３Ａ内に収まるようにケース１の側面に沿って下方に曲げ下ろされた形状のものにしているために、当該構成品は、従来品と同じ占有面積内で実装することができる。
【００４７】
さらに、実装時に半田付け固定される端子２Ａ，３Ａは、従来と同じ形状であるために、実装される配線基板３１の端子用ランド３２，３３の形状や配置位置は従来の配線基板１１と同じにすることができ有用である。
【００４８】
以上のように、当該構成のプッシュオンスイッチは、奥行き方向の寸法を大きくすることなく、プッシュオンスイッチに流入した静電気を、静電気誘導部を通じて電子機器のアース（ＧＮＤ）におとすことができ、ＥＳＤ対策を施した小型構成のプッシュオンスイッチとして提供することができる。
【００４９】
さらに、当該実施の形態のプッシュオンスイッチは、ケース１の下方部を切り欠き部３１Ａ内に位置させて配線基板３１へ実装されることにより、配線基板３１上面からの高さ寸法としても低背な実装状態にできる。さらには、当該プッシュオンスイッチの後部が、切り欠き部３１Ａの奥行き側の端面に当接もしくは近接した状態になるように実装されることにより、予期しない後方側などへの過度の力が加わっても、当該プッシュオンスイッチの後部が、切り欠き部３１Ａの奥行き側の端面で支えられて配線基板３１からの剥がれなどの不具合も発生しにくく構成できる。
【００５０】
そして、その実装状態において、配線基板３１上面からの高さ寸法としても低背な実装状態にできるため、金属カバー２９の高さ位置も低い位置となり、そこから側方に向けて延設された脚部２９Ｃの曲げ下ろし寸法も短いもので済む。このため、曲げ下ろされた先端位置の振れなども少なく脚部２９Ｃとそれに対応する一方の端子３Ａの間の距離にばらつきが少ないものに容易に実現できる。
【００５１】
さらに、当該実施の形態のプッシュオンスイッチは、脚部２９Ｃとそれに対応する一方の端子３Ａの間に所定距離の隙間を設けた構成としているため、脚部２９Ｃで一方の端子３Ａを変形させることなく、金属カバー２９をケース１に容易に組み付けることができ、その一方の端子３Ａを含めて安定して配線基板３１へ実装できるものが得られ有用である。
【００５２】
また、脚部２９Ｃとして、上面視での延設長さは僅かなものとし、その曲げ下ろし箇所においても、ケース１の側面に沿って曲げ下ろされたものにしておくと、脚部２９Ｃに予期しないケース１内側方向への力が加わった場合においても、脚部２９Ｃの曲げ下ろし箇所がケース１側面に支えられるようになるため、脚部２９Ｃの変形度合いが少なく抑えられ、脚部２９Ｃとそれに対応する端子３Ａの間での所定の間隔が維持されやすくなり好ましい。
【００５３】
なお、以上には、金属カバー２９の脚部２９Ｃを、一箇所のみに設けたもので説明したが、ケース１の左右両側に設けられている一つずつの端子３Ａ毎に対応するように両側に脚部をそれぞれ設けて、複数の静電気誘導部を有した構成にしてもよい。また、脚部２９Ｃに近接している側の端子３Ａが中央固定接点２や外側固定接点３とは電気的独立状態になるように構成されていてもよく、これであれば、静電気をアースにおとす電路を独立に構成することができる。
【００５４】
また、当該実施の形態のものは、側方に突出させて延設した脚部２９Ｃを、ケース１前方の端子３Ａに応じたものとして、使用者の指先から流入する静電気をそのケース１前方の端子３Ａを介して配線基板３１のアースにおとすものとして、電子回路の信号線に接続されている後方の端子２Ａへの静電気の流入を防いだものとしたが、特に制限はない。つまり、脚部が配線基板３１の切り欠き部３１Ａの両側で側方に向けて延設されているものであればよく、例えば、上記構成以外に、後方の端子２Ａに対応する位置で延設され、その先端を端子２Ａ上面と近接させた脚部の構成のものとしてもよい。この場合には、端子２Ａ側に配線基板のアースに接続された端子用ランドを配して、端子３Ａ側に電子回路の信号線に接続された端子用ランドを配したものにすればよい。
【００５５】
また、以上のように、静電気誘導部としてなる脚部２９Ｃを金属カバー２９に一体で設けた構成にすれば、簡素な構成で、流入する静電気を、金属カバー２９をメインとして電子機器のアースに逃がせるため、プッシュオンスイッチの内部に静電気が流入しづらく、よりよいＥＳＤ対策が講じられたものとなり望ましいが、これのみに限定されることは無く、例えば静電気誘導部は金属カバー２９から独立して設けたものなどにしてもよい。
【００５６】
なお、可動接点６の形状についても上面視円形のもの以外であってもよい。例えば多角形形状や小判形状、さらにはそれらのドーム部分に中央孔が設けられたものであったり、上面視外周端部から放射状に延出した複数の脚部が設けられた形状のものなどが用いられていてもよく、固定接点としても使用する可動接点に応じてスイッチング可能な構成となるものであればよい。
【００５７】
なお、以上には、可動接点が１つのみで１段階のスイッチ動作をするものについて説明したが、スイッチ接点部は上述した構成のもののみに限定されることはない。例えば上述した複数の可動接点が組み合わせられるなどして複数段のスイッチ動作が可能なプッシュオンスイッチに当該発明の思想を適用することも可能である。次にその事例について述べる。
【００５８】
図８は本発明の他の実施の形態によるプッシュオンスイッチの外観斜視図、図９は同正面図、図１０は同分解斜視図、図１１は同回路図である。
【００５９】
同図に示すように、当該プッシュオンスイッチは、ケース４１の左右の側面から３対の端子４２Ａ，４３Ａ，４４Ａがそれぞれ導出されている。なお、端子４２Ａ，４３Ａ，４４Ａの導出高さ位置は全て同じで、その下面位置よりも上方に位置するケース４１側面は左右方向に突出した段差形状となり、その段差部の下面と端子４２Ａ，４３Ａ，４４Ａの下面とで受け部４１Ｂを形成していることは従来と同様である。
【００６０】
ケース４１の上面には保護シート４７が貼り合わせられており、ケース４１に設けられた図示しない凹部を覆っている。なお、ケース４１の凹部内には図示しない複数の可動接点が収容されている。また、凹部内底面には、端子４２Ａ，４３Ａ，４４Ａにそれぞれ接続されている図示しない複数の固定接点が配されており、それらの可動接点と固定接点とで、２段階スイッチが可能なスイッチ接点部が形成されている。
【００６１】
ケース４１の上方には操作体４８が、ケース４１の四方の角部にＬ字状に突出形成されたコーナー突部４１Ｃで囲まれた枠内に搭載されて、前後方向に移動可能に組み込まれている。さらに、操作体４８を上方より覆うように、金属板製の金属カバー４９がケース４１に固定されている。
【００６２】
なお、操作体４８は、従来同様で、前方に突出形成されてケース４１の外周位置から前方に突出する操作部４８Ａと、操作部４８Ａの後方に延設された駆動部４８Ｂと、駆動部４８Ｂをコの字状に囲む枠部４８Ｄを有しており、駆動部４８Ｂの先端は略球形状の押圧部４８Ｃに形成されている。さらに、金属カバー４９も、従来同様で、ケース４１の上方に位置する平板部４９Ａと、平板部４９Ａの中央位置に、後方にかけて斜め下方に曲げ形成された傾斜部４９Ｂを備えている。そして、金属カバー４９は、傾斜部４９Ｂの下面が上記操作体４８の駆動部４８Ｂ先端の押圧部４８Ｃと当接状態になっている。
【００６３】
ここに、金属カバー４９から延設されている脚部４９Ｃは、平板部４９Ａから、上面視で、ケース４１の前方側面から導出された端子４４Ａと略同一の側方位置から所定幅で一つが延設されて、ケース４１の側面に沿って下方に曲げ下ろされている先端が、対応する一方の端子４４Ａの根元部上面と所定の間隔をあけて近接した対向状態になっている。なお、当該脚部４９Ｃが請求項１の静電気誘導部に相当するものである。以上により当該プッシュオンスイッチは構成されている。
【００６４】
なお、当該プッシュオンスイッチについても、従来同様にケース４１の下方部を図示しない配線基板の切り欠き部内に収容するように搭載されて、端子４２Ａ，４３Ａ，４４Ａが対応する端子用ランドに半田付け固定されて使用される。さらに、その動作においても、ほぼ同様で、操作体４８の操作部４８Ａを前方から後方に向かって押圧操作すると、金属カバー４９の傾斜部４９Ｂで斜め下方に案内された押圧部４８Ｃによって図示しない可動接点が押圧操作されてスイッチングされるものとなっており、続いて図１１の回路図などを用いて、配線基板への電気的接続状態や、スイッチ動作などについて簡単に説明する。
【００６５】
当該プッシュオンスイッチは、端子４４Ａが配線基板のアースと接続されて使用される。端子４２Ａ，４３Ａは、配線基板に配された端子用ランドを介して図示しない電子回路に接続されている。上記電子回路は、シグナルＧＮＤが配線基板のアースと共通していて、端子４３Ａ，４４Ａ間の導通を第一のスイッチオンとして検出して、その後、上記の全ての端子４２Ａ，４３Ａ，４４Ａ間が導通した状態を第二のスイッチオンとして検出する。
【００６６】
操作体４８の操作部４８Ａを後方に向かって押圧操作すると、操作体４８の押圧部４８Ｃが保護シート４７を介して図示しない可動接点を押圧する。その押圧力が所定の値を超えると可動接点が所定動作し、端子４３Ａ，４４Ａにそれぞれ繋がった固定接点同士の間が導通する。つまり、図１１のＳＷ１の接続が行われて、１段階目のスイッチがスイッチオン状態となる。さらに操作部４８Ａを押圧すると、１段階目のスイッチのスイッチオン状態を維持しつつ、可動接点の所定動作により、さらに端子４２Ａに繋がる固定接点も端子４３Ａ，４４Ａにそれぞれ繋がる固定接点同士の間と導通状態になって、ＳＷ２の接続が行われ、２段階目のスイッチがスイッチオン状態となる。操作部４８Ａへの押圧力を解除すると上述した動作を逆にして２段階目のスイッチがスイッチオフ状態となり、次に１段階目のスイッチがスイッチオフ状態となる。
【００６７】
ここに、当該実施の形態によるプッシュオンスイッチにおいても、配線基板への実装状態では、脚部４９Ｃの先端が上下に所定間隔をあけて近接する端子４４Ａを配線基板のアースに接続させた実装状態とするため、当該プッシュオンスイッチに流入した静電気を、金属カバー４９に設けた脚部４９Ｃから配線基板のアースにおとすことができるものとなる。
【００６８】
これにより、端子４２Ａ，４３Ａへの静電気の流入を防ぎ、静電気による電子回路の誤動作や破損などの発生を防ぐことができる。
【００６９】
なお、二段階でスイッチングさせるためのスイッチ接点部の構成は、特に限定はされない。また、そのスイッチ接点部を作動させるための機構も上述したもののみに限られることもない、さらには、上記スイッチ接点部による回路の切り換わり設定についても上記のように連動するもの以外であってもよい。
【００７０】
なお、以上には、上述した所謂横押し型で配線基板の切り欠き部を活用しつつ低背状態に実装できるものに本発明を適用した事例を説明したが、本発明を、例えば、切り欠き部を設けていない配線基板上に実装される一般的な横押し型のものに適用したり、または、実装される配線基板面に対して垂直下方に押圧操作する所謂縦押し型のものなどに適用してもよい。
【産業上の利用可能性】
【００７１】
本発明によるプッシュオンスイッチは、奥行き方向への寸法を大きくすることなく、プッシュオンスイッチに流入した静電気を電子機器のアース（ＧＮＤ）におとすことができ、低背状態で実装可能な小型構成のものとして提供でき、主に電子機器の入力操作部用等に有用である。
【符号の説明】
【００７２】
１、４１  ケース
１Ａ  凹部
１Ｂ、４１Ｂ  受け部
１Ｃ、４１Ｃ  コーナー突部
２  中央固定接点
２Ａ、３Ａ、４２Ａ、４３Ａ、４４Ａ  端子
３  外側固定接点
６  可動接点
７、４７  保護シート
８、４８  操作体
８Ａ、４８Ａ  操作部
８Ｂ、４８Ｂ  駆動部
８Ｃ、４８Ｃ  押圧部
８Ｄ、４８Ｄ  枠部
２９、４９  金属カバー
２９Ａ、４９Ａ  平板部
２９Ｂ、４９Ｂ  傾斜部
２９Ｃ、４９Ｃ  脚部
３１  配線基板
３１Ａ  切り欠き部
３２、３３  端子用ランド
【図１】
2013186993.tif 000003
【図２】
2013186993.tif 000004
【図３】
2013186993.tif 000005
【図４】
2013186993.tif 000006
【図５】
2013186993.tif 000007
【図６】
2013186993.tif 000008
【図７】
2013186993.tif 000009
【図８】
2013186993.tif 000010
【図９】
2013186993.tif 000011
【図１０】
2013186993.tif 000012
【図１１】
2013186993.tif 000013
【図１２】
2013186993.tif 000014
【図１３】
2013186993.tif 000015
【図１４】
2013186993.tif 000016
【図１５】
2013186993.tif 000017
【図１６】
2013186993.tif 000018